(57)【要約】  オゾン殺菌洗濯機および方法は、外ドラム（１）、オゾン発生装置（２）および加熱装置（３）を含む。外ドラム（１）底部にオゾン発生装置（２）と通じる吸気口が設けられ、外ドラム（１）上部に排気管路（１０）と通じる排気口が設けられる。加熱装置（３）は排気管路（１０）内に設けられ、オゾンの分解に用いられる。上記洗濯機により、オゾンを利用して衣類を殺菌することができ、さらに完全に溶解しなかったオゾンを高温で分解する。その分解速度は速く、分解は徹底的であり、さらに触媒を添加する必要はなく、人的資源、物的資源を節約する。【選択図】図１
2018514281.tif 000002
【特許請求の範囲】
【請求項１】
外ドラム、オゾン発生装置および加熱装置を含むオゾン殺菌洗濯機であって、外ドラム底部にオゾン発生装置と通じる吸気口が設けられ、外ドラム上部に排気管路と通じる排気口が設けられ、加熱装置は排気管路内に設けられ、オゾンの分解に用いられることを特徴とする洗濯機。
【請求項２】
前記加熱装置内に空気の温度を測定する温度センサが設けられることを特徴とする、請求項１に記載のオゾン殺菌洗濯機。
【請求項３】
前記加熱装置の動作温度範囲が８０℃〜３００℃であり、好ましくは１００℃〜２７０℃であることを特徴とする、請求項１または２に記載のオゾン殺菌洗濯機。
【請求項４】
前記排気管路内にさらに送風機が設けられることを特徴とする、請求項１または２に記載のオゾン殺菌洗濯機。
【請求項５】
前記外ドラム内に、空気中のオゾン含量を測定するオゾン濃度測定装置が設けられることを特徴とする、請求項１に記載のオゾン殺菌洗濯機。
【請求項６】
前記吸気管路内に逆止弁が設けられることを特徴とする、請求項１に記載のオゾン殺菌洗濯機。
【請求項７】
請求項１〜６のいずれか１項に記載のオゾン殺菌洗濯機を用いたオゾン処理方法であって、
工程Ｓ１：洗濯過程の開始時、オゾン発生装置を起動する；
工程Ｓ２：加熱装置を起動し、オゾンを分解する；
工程Ｓ３：洗濯過程の終了後、オゾン発生装置を停止する；
工程Ｓ４：加熱装置を停止する；
を含むことを特徴とする方法。
【請求項８】
請求項７に記載のオゾン処理方法であって、前記工程Ｓ２の後、
加熱装置が加熱する空気の温度をリアルタイムで測定し、空気の温度が第１所定温度より高いとき、加熱装置は加熱を停止し、空気の温度が第２所定温度より低いとき、加熱装置は加熱を起動し、第１所定温度は第２所定温度より高く、好ましくは、第１所定温度は１５０℃〜３００℃、第２所定温度は８０℃〜１５０℃である工程をさらに含むことを特徴とする方法。
【請求項９】
前記工程Ｓ２における加熱装置の起動は、オゾン濃度測定装置が、外ドラム内のオゾンの濃度が所定濃度より高いことを検出したとき、加熱装置を起動する；または
オゾン発生装置を起動するとき、同時に加熱装置を起動する；または
オゾン発生装置を起動した後、Ｔ１時間遅らせて加熱装置を起動する；を含むことを特徴とする、請求項７に記載のオゾン処理方法。
【請求項１０】
前記工程Ｓ４における加熱装置の停止は、オゾン濃度測定装置が、空気中のオゾンの濃度が第２所定濃度より低いことを検出したとき、加熱装置を停止する；または
オゾン発生装置を停止するとき、同時に加熱装置を停止する；または
オゾン発生装置を停止した後、Ｔ２時間遅らせて加熱装置を停止する；を含むことを特徴とする、請求項７に記載のオゾン処理方法。
【請求項１１】
前記工程Ｓ２が、加熱装置を起動するとき、送風機を起動することをさらに含み；
前記工程Ｓ４が、加熱装置を停止するとき、送風機を停止することをさらに含むことを特徴とする、請求項７〜１０のいずれか１項に記載のオゾン処理方法。
【発明の詳細な説明】
【技術分野】
【０００１】
本発明は洗濯機に関し、特にオゾン殺菌洗濯機および方法に関する。
【背景技術】
【０００２】
洗濯機は人々の生活に多くの利便性をもたらし、すでに家庭で幅広く使用されているが、洗濯機を使用して衣類を洗濯するとき、多くの細菌も繁殖する。病原菌、微生物、寄生虫の相互感染を防止するため、いくつかの殺菌消毒洗濯機が次々と売り出されている。主に紫外線殺菌、化学燻蒸およびオゾン殺菌に集中しており、このうちオゾン殺菌は、殺菌能力が高い、残留性が無い、衣類を損傷させいないなどの利点により重宝されている。オゾンは水に通すと、一部のみが水に溶解し、多くのオゾンは水中から直接槽内に進入して排出される。オゾン吸入量が限度を超えると、人体の健康を害する。
【０００３】
既存の洗濯機のオゾン処理方法は、洗濯機内にろ過装置が設置され、ろ過装置に活性炭ブロックを詰め、活性炭およびオゾンの化学反応を利用してオゾンを分解する。あるいは、ろ過装置の構造を変更し、ろ過装置中にぎざぎざの流出路を嵌め込み、オゾンの自然分解を加速させる。
【０００４】
既存技術の欠点は、ろ過装置中に化学原料を添加する必要があり、人的資源、物的資源を増加させ、分解速度は過度に遅く、実用性が低いことである。
【０００５】
このことを考慮して、特に本発明を示す。
【発明の概要】
【発明が解決しようとする課題】
【０００６】
本発明が解決しようとする技術的問題は、既存技術の不足を克服することであり、オゾン殺菌洗濯機および方法を提供する。オゾンを利用して衣類を殺菌した後、完全に溶解しなかったオゾンを急速、徹底的に分解する目的を実現する。
【課題を解決するための手段】
【０００７】
本発明がその技術的問題を解決するために採用した技術案は、以下の通りである。
オゾン殺菌洗濯機は、外ドラム、オゾン発生装置および加熱装置を含む。外ドラム底部にオゾン発生装置と通じる吸気口が設けられ、外ドラム上部に排気管路と通じる排気口が設けられる。加熱装置は排気管路内に設けられ、オゾンの分解に用いられる。
【０００８】
さらに、前記加熱装置内に空気の温度を測定する温度センサが設けられる。
【０００９】
さらに、前記加熱装置の動作温度範囲は８０℃〜３００℃であり、好ましくは１００℃〜２７０℃である。
【００１０】
さらに、前記排気管路内にさらに送風機が設けられる。
【００１１】
さらに、前記外ドラム内に空気中のオゾン含量を測定するオゾン濃度測定装置が設けられる。
【００１２】
さらに、前記吸気管路内に逆止弁が設けられる。
【００１３】
本発明は、さらにオゾン殺菌洗濯機のオゾン処理方法を提供する。以下の工程を含む。
工程Ｓ１：洗濯過程の開始時、オゾン発生装置を起動する。
工程Ｓ２：加熱装置を起動し、オゾンを分解する。
工程Ｓ３：洗濯過程の終了後、オゾン発生装置を停止する。
工程Ｓ４：加熱装置を停止する。
【００１４】
さらに、前記工程Ｓ２の後、以下の工程をさらに含む。
加熱装置が加熱する空気の温度をリアルタイムで測定する。空気の温度が第１所定温度より高いとき、加熱装置は加熱を停止し、空気の温度が第２所定温度より低いとき、加熱装置は加熱を起動する。第１所定温度は第２所定温度より高く、好ましくは、第１所定温度は１５０℃〜３００℃、第２所定温度は８０℃〜１５０℃である。
【００１５】
さらに、前記工程Ｓ２における加熱装置の起動は、オゾン濃度測定装置が、外ドラム内のオゾンの濃度が所定濃度より高いことを検出したとき、加熱装置を起動する；または
オゾン発生装置を起動するとき、加熱装置を同時に起動する；または
オゾン発生装置を起動した後、Ｔ１時間遅らせて加熱装置を起動する；を含む。
【００１６】
さらに、前記工程Ｓ４における加熱装置の停止は、オゾン濃度測定装置が、空気中のオゾンの濃度が第２所定濃度より低いことを検出したとき、加熱装置を停止する；または
オゾン発生装置を停止するとき、加熱装置を同時に停止する；または
オゾン発生装置を停止した後、Ｔ２時間遅らせて加熱装置を停止する；を含む。
【００１７】
さらに、前記工程Ｓ２は、加熱装置を起動するとき、送風機を起動することをさらに含む。
前記工程Ｓ４は、加熱装置を停止するとき、送風機を停止することをさらに含む。
【発明の効果】
【００１８】
本発明を実施するための形態で提供する技術案の有益な効果は、次の通りである。
オゾンを利用して衣類を殺菌し、殺菌効果はより高く、さらに完全に溶解しなかったオゾンを高温で分解する。温度をリアルタイムで制御し、その分解速度は速く、分解は徹底的であり、さらに触媒を添加する必要はなく、人的資源、物的資源を節約する。
【００１９】
本発明の発明を実施するための形態における技術案をより明確に説明するため、以下に、発明を実施するための形態で使用する必要がある図を簡単に説明する。以下に記載する図は本発明のいくつかの実施例に過ぎず、創造的労働を必要としない前提で、当業者がこれらの図に基づいてその他の図を得ることができることは明らかである。
【図面の簡単な説明】
【００２０】
【図１】図１は、本発明で提供するオゾン殺菌洗濯機の構造概要図である。
【図２】図２は、本発明で提供するもう１つのオゾン殺菌洗濯機の構造概要図である。
【図３】図３は、本発明で提供するオゾン殺菌洗濯機の方法のフローチャートである。
【図４】図４は、本発明で提供するもう１つのオゾン殺菌洗濯機の方法のフローチャートである。
【発明を実施するための形態】
【００２１】
実施例１
図１に示すように、本発明はオゾン殺菌洗濯機を提供し、外ドラム１、オゾン発生装置２および加熱装置３を含む。外ドラム１底部にオゾン発生装置２と通じる吸気口が設けられ、外ドラム１上部に排気管路１０と通じる排気口が設けられる。加熱装置３は排気管路１０内に設けられ、オゾンの分解に用いられる。
【００２２】
オゾン発生装置２がオゾンを生成し、外ドラム１底部の吸気口から水中に通される。水中に溶解して殺菌を行い、水に溶解しなかったオゾンは外ドラム１上部の排気口から排気管路１０に排出される。排気管路１０中の加熱装置３によりオゾンは高温で加熱され、酸素に分解されて洗濯機から排出される。このようにオゾンの急速な分解を実現する。
【００２３】
加熱装置３内に温度センサ７が設けられ、現在の空気の温度をリアルタイムで測定する。オゾンの高温分解、オゾンの分解速度の加速を実現するため、加熱装置３は加熱する空気の温度を第１所定温度および第２所定温度の間に制御する。洗濯過程において、加熱装置３が最初に起動した後、その後の加熱装置３の起動および停止は、温度センサ７が測定した温度と関連する。具体的に、加熱装置３の動作過程において、空気の温度が第１所定温度を超えるとき、加熱装置３は加熱を停止し、空気の温度が第２所定温度より低いとき、加熱装置３は起動される。第１所定温度は第２所定温度より高い。加熱装置の動作温度範囲は８０℃〜３００℃であり、好ましくは１００℃〜２７０℃である。
【００２４】
このうち、オゾン分解の原理は次の通りである。空気中の含量が１％以下であるオゾンの、常温常態常圧の空気中における分解半減期はおよそ１６時間であり、温度の上昇に伴って、分解速度は速くなる。温度が１００℃を超えると、分解は非常に激しく、２７０℃の高温に達すると、すぐに酸素に転化することができる。したがって、オゾンの分解を加速させるため、第１所定温度を１５０℃から３００℃の間に設定することができ、好ましくは２７０℃に設定し、空気の温度が２７０℃に達すると、加熱を停止する。このようにオゾンの急速な分解を保証し、外ドラム１内の空気の余熱が過度に高く、衣類が損傷するのを防止することもできる。第２所定温度を８０℃から１５０℃の間に設定し、好ましくは１００℃に設定し、空気の温度が１００℃まで低下すると、加熱装置３は加熱を起動する。このように加熱装置３が常に動作状態にあって装置が損傷するのを防止し、オゾンの急速な分解を保証することもでき、オゾンを急速に分解するのに最も適した範囲内に温度を制御する。第１所定温度および第２所定温度の温度領域に適応させるため、加熱装置３の筐体は金属材質であり、好ましくはアルミニウム合金材質である。
【００２５】
好ましくは、外ドラム１内に空気中のオゾン含量を測定するオゾン濃度測定装置が設けられる。オゾン発生装置２が起動した後、加熱装置３の最初の起動は以下のいくつかの状況を含むことができる。
１：オゾン濃度測定装置が、外ドラム１内のオゾンの濃度が所定濃度より高いことを検出したとき、加熱装置３を起動する。
２：オゾン発生装置２を起動するとき、同時に加熱装置３を起動する。
３：オゾン発生装置２を起動した後、Ｔ１時間遅らせて加熱装置３を起動する。
【００２６】
さらに、吸気管路８内に逆止弁４を設けて、水がオゾン発生装置に逆流して、装置が損傷するのを防止する。オゾン発生装置２が生成するオゾンが吸気口に輸送され、水中を通ることを保証する。
【００２７】
さらに、外ドラム１底部に、排水管路９と通じる排水口がさらに設けられる。洗濯機の排水方式が上部排水であるとき、排水管路９は上部排水の排水管である。符号５に示すように、上部排水の排水管路５内に排水ポンプが設けられ、図ではＰで表す。排水ポンプが水を加圧し、上部排水の排水管路５を経て洗濯機から排出される。洗濯機の排水方式が下部排水であるとき、排水管路９は下部排水の排水管である。符号６に示すように、下部排水の排水管路６内に排水ポンプまたは排水弁が設けられ、図ではＰで表す。排水ポンプが水を加圧するか、または排水弁が開くと、水は下部排水の排水管路６を経て洗濯機から排出される。
【００２８】
本発明のオゾン殺菌洗濯機は、オゾン発生装置２がオゾンを生成し、水中に溶解させて、洗濯する衣類を殺菌する。水に溶解しなかったオゾンは排気口から加熱装置３中に排出されて加熱され、オゾンの分解速度が加速する。さらに加熱装置３中の温度センサ７が温度をリアルタイムで測定し、洗濯機は温度変化に基づいて、加熱装置３の起動、停止を制御する。排気管路１０内の空気の温度を最適範囲内に制御し、オゾンの急速な分解を実現する。オゾンを徹底的に分解し、分解速度を加速させ、さらに触媒を添加する必要はなく、人的資源、物的資源を節約する目的を達成する。
【００２９】
実施例２
図２に示すように、本実施例および実施例１の違いは次の通りである。排気管路１０内にさらに送風機１１を設け、該送風機１１を排気口と加熱装置３との間に設置し、内槽中のオゾンが加熱装置３の方向に流動する速度を加速させる。オゾンは加熱装置３に達して高温で分解され、このようにオゾンの分解速度を加速させる目的を実現する。
【００３０】
送風機１１はオゾン発生装置２の起動後、加熱装置３の最初の起動と同時に起動される。洗濯過程において動作し続け、洗濯が終了し、オゾン発生装置２の停止後、加熱装置３の停止と同時に停止される。
【００３１】
実施例３
本実施例で提供するのは、オゾン殺菌洗濯機がオゾン殺菌プログラムを実行する洗濯過程である。ユーザがオゾン殺菌を選択せずに洗濯するとき、洗濯機は通常の洗濯プログラムの洗濯工程を実行する。ユーザがオゾン殺菌プログラムを選択して洗濯するとき、洗濯機はオゾン殺菌プログラムの洗濯工程を実行する。本実施例を実行する主体は洗濯機である。図３に示すように、洗濯機がオゾン殺菌プログラムを実行する方法は以下の工程を含む。
【００３２】
３０１：オゾン殺菌プログラムを起動する。
【００３３】
３０２：洗濯過程の開始時、オゾン発生装置を起動する。
【００３４】
３０３：加熱装置を起動し、オゾンを分解する。
【００３５】
好ましくは、加熱装置を起動する条件としては、オゾン濃度測定装置が、外ドラム内のオゾンの濃度が所定濃度より高いことを検出したとき、加熱装置を起動する。
好ましくは、加熱装置を起動する条件としては、オゾン発生装置を起動するとき、同時に加熱装置を起動する。
好ましくは、加熱装置を起動する条件としては、オゾン発生装置を起動した後、Ｔ１時間遅らせて加熱装置を起動する。ＴＩは、好ましくは３０秒から２分間に設定する。
【００３６】
３０４：加熱装置が加熱する空気の温度をリアルタイムで測定する。空気の温度が第１所定温度より高いとき、加熱装置は加熱を停止し、空気の温度が第２所定温度より低いとき、加熱装置は加熱を起動する。第１所定温度は第２所定温度より高い。
【００３７】
好ましくは、第１所定温度は１５０℃〜３００℃、さらに好ましくは２７０℃であり、第２所定温度は８０℃〜１５０℃、さらに好ましくは１００℃である。加熱装置の起動および停止は、洗濯機の内部プログラムにより制御され、温度センサが測定した温度は洗濯機の内部プログラムにリアルタイムで送信される。洗濯機の内部プログラムは温度に基づいて、加熱装置の起動および停止をリアルタイムで制御する。
【００３８】
３０４：洗濯プログラムが終了し、オゾン発生装置を停止する。
【００３９】
３０５：加熱装置を停止する。
【００４０】
好ましくは、加熱装置を停止する条件としては、オゾン濃度測定装置が、空気中のオゾンの濃度が第２所定濃度より低いことを検出したとき、加熱装置を停止する。
好ましくは、加熱装置を停止する条件としては、オゾン発生装置を停止するとき、同時に加熱装置を停止する。
好ましくは、加熱装置を停止する条件としては、オゾン発生装置を停止した後、Ｔ２時間遅らせて加熱装置を停止する。Ｔ２は、好ましくは３０秒から５分間に設定する。
【００４１】
３０６：通常の排水、脱水およびすすぎを行う。
【００４２】
３０７：洗濯過程が終了する。
【００４３】
実施例４
本実施例で提供するのは、もう１つのオゾン殺菌洗濯機がオゾン殺菌プログラムを実行する洗濯過程である。ユーザがオゾン殺菌を選択せずに洗濯するとき、洗濯機は通常の洗濯プログラムの洗濯工程を実行する。ユーザがオゾン殺菌プログラムを選択して洗濯するとき、洗濯機はオゾン殺菌プログラムの洗濯工程を実行する。本実施例を実行する主体は洗濯機である。図４に示すように、洗濯機がオゾン殺菌プログラムを実行する方法は以下の工程を含む。
【００４４】
４０１：オゾン殺菌プログラムを起動する。
【００４５】
４０２：洗濯過程の開始時、オゾン発生装置を起動する。
【００４６】
４０３：加熱装置および送風機を起動し、オゾンを分解する。
【００４７】
好ましくは、加熱装置を起動する条件としては、オゾン濃度測定装置が、外ドラム内のオゾンの濃度が所定濃度より高いことを検出したとき、加熱装置および送風機を起動する。
好ましくは、加熱装置を起動する条件としては、オゾン発生装置を起動するとき、同時に加熱装置および送風機を起動する。
好ましくは、加熱装置を起動する条件としては、オゾン発生装置を起動した後、ＴＩ時間遅らせて加熱装置および送風機を起動する。ＴＩは、好ましくは３０秒から２分間に設定する。
【００４８】
４０４：加熱装置が加熱する空気の温度をリアルタイムで測定する。空気の温度が第１所定温度より高いとき、加熱装置は加熱を停止し、空気の温度が第２所定温度より低いとき、加熱装置は加熱を起動する。第１所定温度は第２所定温度より高い。
【００４９】
好ましくは、第１所定温度は１５０℃〜３００℃、さらに好ましくは２７０℃であり、第２所定温度は８０℃〜１５０℃、さらに好ましくは１００℃である。加熱装置の起動および停止は、洗濯機の内部プログラムにより制御され、温度センサが測定した温度は洗濯機の内部プログラムにリアルタイムで送信される。洗濯機の内部プログラムは温度に基づいて、加熱装置の起動および停止をリアルタイムで制御する。
【００５０】
４０４：洗濯プログラムが終了し、オゾン発生装置を停止する。
【００５１】
４０５：加熱装置および送風機を停止する。
【００５２】
好ましくは、加熱装置を停止する条件としては、オゾン濃度測定装置が、空気中のオゾンの濃度が第２所定濃度より低いことを検出したとき、加熱装置および送風機を停止する。
好ましくは、加熱装置を停止する条件としては、オゾン発生装置を停止するとき、同時に加熱装置および送風機を停止する。
好ましくは、加熱装置を停止する条件としては、オゾン発生装置を停止した後、Ｔ２時間遅らせて加熱装置および送風機を停止する。Ｔ２は、好ましくは３０秒から５分間に設定する。
【００５３】
４０６：通常の排水、脱水およびすすぎを行う。
【００５４】
４０７：洗濯過程が終了する。
【００５５】
以上の記載は本発明の好ましい実施例に過ぎず、本発明をどのような形式でも制限しない。本発明は好ましい実施例により上記のように開示したが、本発明を限定するものではない。当業者は本発明の技術案を逸脱しない範囲内で、上記に示した技術内容を利用して、少しの変更または修飾を行い、同等に変更した等価実施例とすることができるが、いずれも本発明の技術案の内容を逸脱しない。本発明の技術的本質に基づいて、以上の実施例に対して行う簡単な修正、同等の変更および修飾は、いずれも本発明案の範囲内に属する。
【符号の説明】
【００５６】
１  外ドラム
２  オゾン発生装置
３  加熱装置
４  逆止弁
５  上部排水の排水管路
６  下部排水の排水管路
７  温度センサ
８  吸気管路
９  排水管路
１０  排気管路
１１  送風機
Ｐ  排水ポンプ／排水弁
【図１】
2018514281.tif 000003
【図２】
2018514281.tif 000004
【図３】
2018514281.tif 000005
【図４】
2018514281.tif 000006
【国際調査報告】
2018514281.tif 000007
2018514281.tif 000008
2018514281.tif 000009
2018514281.tif 000010